(57)【要約】【課題】複数の装置で放送映像を同期させて放送映像をほぼリアルタイムに視聴できるようにする。【解決手段】テレビシステム１０では、録画再生装置１８が、放送コンテンツを録画しながら再生し、撮影装置１２が、再生コンテンツの再生位置に対する応援風景を撮影して応援動画を取得すると共にその再生位置に対応する放送上の時刻情報を取得し、送受信装置１３が、応援動画と時刻情報とをサーバ２０に送信する。サーバ２０では、同期調整部２６が、同じ時点での応援動画に対応する時刻情報のずれをなくす同期調整命令を生成し、動画合成部２７が、同じ時刻情報に対応する応援動画を合成し、送受信装置１３が、同期調整命令と合成動画とをテレビシステム１０に送信する。テレビシステム１０では、再生位置調整部１４が、再生コンテンツを同期させるために再生位置を調整し、放送受信機１１が、合成動画を表示する。【選択図】図４
2015109505.tif 000002
【特許請求の範囲】
【請求項１】
放送映像を記録しながら再生する第１の記録再生装置が再生している第１の再生映像の再生位置に関連付けられた第１の放送上の時刻を取得する取得手段と、
前記放送映像を記録しながら再生する第２の記録再生装置が再生している第２の再生映像の再生位置に関連付けられた第２の放送上の時刻を受信する受信手段と、
前記第１の記録再生装置が所定の実時刻に再生する前記第１の再生映像の再生位置と前記第２の記録再生装置が当該所定の実時刻に再生する前記第２の再生映像の再生位置とが近付くように前記第１の記録再生装置及び前記第２の記録再生装置の何れかを制御する制御コマンドを、前記第１の放送上の時刻と前記第２の放送上の時刻とに基づいて生成する生成手段と、
前記第１の記録再生装置を制御する前記制御コマンドが生成された場合に、当該制御コマンドを前記第１の記録再生装置に出力する出力手段と、
前記第２の記録再生装置を制御する前記制御コマンドが生成された場合に、当該制御コマンドを前記第２の記録再生装置に送信する送信手段と
を備えたことを特徴とする再生制御装置。
【請求項２】
前記生成手段は、前記第１の記録再生装置が前記所定の実時刻に再生する前記第１の再生映像の再生位置よりも前記第２の記録再生装置が当該所定の実時刻に再生する前記第２の再生映像の再生位置が先行している場合に、当該第２の再生映像の再生を遅らせるように前記第２の記録再生装置を制御する前記制御コマンドを生成することを特徴とする請求項１に記載の再生制御装置。
【請求項３】
前記生成手段は、前記第１の放送上の時刻と前記第２の放送上の時刻とに基づいて得られた時間だけ前記第２の再生映像の再生を停止させることにより、当該第２の再生映像の再生を遅らせることを特徴とする請求項２に記載の再生制御装置。
【請求項４】
所定の放送上の時刻に関連付けられた前記第１の再生映像の再生位置に関して撮影された第１の撮影映像と、当該所定の放送上の時刻に関連付けられた前記第２の再生映像の再生位置に関して撮影された第２の撮影映像とが、前記第１の再生映像を表示する第１の表示装置に更に表示されるように制御する第１の制御手段と、
前記第１の撮影映像と、前記第２の撮影映像とが、前記第２の再生映像を表示する第２の表示装置に更に表示されるように制御する第２の制御手段と
を更に備えたことを特徴とする請求項１乃至請求項３の何れかに記載の再生制御装置。
【請求項５】
前記第１の制御手段は、前記所定の放送上の時刻に関連付けられた前記第１の再生映像の再生位置が、前記第１の撮影映像と前記第２の撮影映像と共に前記第１の表示装置に表示されるように制御し、
前記第２の制御手段は、前記所定の放送上の時刻に関連付けられた前記第２の再生映像の再生位置が、前記第１の撮影映像と前記第２の撮像映像と共に前記第２の表示装置に表示されるように制御することを特徴とする請求項４に記載の再生制御装置。
【請求項６】
放送映像を記録しながら再生する記録再生手段と、
前記記録再生手段が再生する再生映像を表示する表示手段と、
前記表示手段が表示している第１の再生映像の再生位置に関連付けられた第１の放送上の時刻を取得する取得手段と、
前記放送映像を記録しながら再生する他の装置が再生している第２の再生映像の再生位置に関連付けられた第２の放送上の時刻を受信する受信手段と、
前記記録再生手段が所定の実時刻に再生する前記第１の再生映像の再生位置と前記他の装置が当該所定の実時刻に再生する前記第２の再生映像の再生位置とが近付くように前記記録再生手段及び前記他の装置の何れかを制御する制御コマンドを、前記第１の放送上の時刻と前記第２の放送上の時刻とに基づいて生成する生成手段と、
前記記録再生手段を制御する前記制御コマンドが生成された場合に、当該制御コマンドを前記記録再生手段に出力する出力手段と、
前記他の装置を制御する前記制御コマンドが生成された場合に、当該制御コマンドを前記他の装置に送信する送信手段と
を備えたことを特徴とする再生装置。
【請求項７】
放送映像を記録しながら再生する第１の記録再生装置が再生している第１の再生映像の再生位置に関連付けられた第１の放送上の時刻を取得するステップと、
前記放送映像を記録しながら再生する第２の記録再生装置が再生している第２の再生映像の再生位置に関連付けられた第２の放送上の時刻を受信するステップと、
前記第１の記録再生装置が所定の実時刻に再生する前記第１の再生映像の再生位置と前記第２の記録再生装置が当該所定の実時刻に再生する前記第２の再生映像の再生位置とが近付くように前記第１の記録再生装置及び前記第２の記録再生装置の何れかを制御する制御コマンドを、前記第１の放送上の時刻と前記第２の放送上の時刻とに基づいて生成するステップと、
前記第１の記録再生装置を制御する前記制御コマンドが生成された場合に、当該制御コマンドを前記第１の記録再生装置に出力するステップと、
前記第２の記録再生装置を制御する前記制御コマンドが生成された場合に、当該制御コマンドを前記第２の記録再生装置に送信するステップと
を含むことを特徴とする再生制御方法。
【請求項８】
コンピュータに、
放送映像を記録しながら再生する第１の記録再生装置が再生している第１の再生映像の再生位置に関連付けられた第１の放送上の時刻を取得する機能と、
前記放送映像を記録しながら再生する第２の記録再生装置が再生している第２の再生映像の再生位置に関連付けられた第２の放送上の時刻を受信する機能と、
前記第１の記録再生装置が所定の実時刻に再生する前記第１の再生映像の再生位置と前記第２の記録再生装置が当該所定の実時刻に再生する前記第２の再生映像の再生位置とが近付くように前記第１の記録再生装置及び前記第２の記録再生装置の何れかを制御する制御コマンドを、前記第１の放送上の時刻と前記第２の放送上の時刻とに基づいて生成する機能と、
前記第１の記録再生装置を制御する前記制御コマンドが生成された場合に、当該制御コマンドを前記第１の記録再生装置に出力する機能と、
前記第２の記録再生装置を制御する前記制御コマンドが生成された場合に、当該制御コマンドを前記第２の記録再生装置に送信する機能と
を実現させるためのプログラム。
【発明の詳細な説明】
【技術分野】
【０００１】
本発明は、放送映像を再生するために用いられる再生制御装置、再生装置、再生制御方法及びプログラムに関する。
【背景技術】
【０００２】
地上波のデジタル化や、ＢＳ／ＣＳ放送のチャンネル数の増大に伴い、コンテンツが多様化し、趣味性の高いコンテンツが放送されるようになると共に、デジタル受信機の普及に伴い、このような多様化したコンテンツの受信が容易になった。
【０００３】
また、映像コンテンツの高圧縮化や通信速度の向上が行われ、ＶＯＤ（Video On Demand）の配信に代表される映像の配信が行われるようになった。テレビに特殊な機器や専用機を接続することなく、安価なＵＳＢ ＨＤＤを接続するだけで録画する機能が一般的になり、コストをかけずに放送コンテンツを録画することが可能になった。
【０００４】
更に、ＳＮＳ（Social Networking Service）等のように同じ趣味や嗜好を持つ人たちがネットワークを介して同一の趣味を楽しむサービスも登場し、ネットワーク上や現地で参集することも珍しくなくなった。
【０００５】
更にまた、スポーツの大きな試合等については、パブリックビューイングや、スポーツバー等での視聴が行われるなど、放送コンテンツを共有することが一般的になってきている。
【０００６】
こうしたことから、地理的に離れた複数の家庭等で放送映像を録画して再生した再生映像を共有することが行われるようになっている。その場合、各家庭等で再生映像を表示するタイミングにずれがあると様々な不都合が生じるので、従来から、各家庭等で再生映像を同期させる技術が種々提案されている（特許文献１〜４参照）。
【０００７】
特許文献１の技術では、予約情報を、チャット参加者で共有し、同じ録画予約を離れた家庭間で実現させ、また、チャット開始時に、その録画番組の同期再生を実現させ、離れた家庭間で同じ番組を同時刻に視聴しながら、チャットを実現させている。
【０００８】
特許文献２の技術では、マスタ装置において、編集対象データを編集素材として利用して編集再生処理を実行するために必要な情報から成る編集制御情報をスレーブ装置に対して送信させ、マスタ装置において、送信したのと同じとされる編集制御情報に基づいて、編集対象データを編集素材として利用して編集再生処理を実行して得られるマスタ装置側の再生出力と、スレーブ装置において、受信した編集制御情報に基づいて、編集対象データを編集素材として利用して編集再生処理を実行して得られるスレーブ装置側の再生出力とが、再生時間的に同期するようにして出力されるようにしている。
【０００９】
特許文献３の技術では、例えば、時刻ｔ１にユーザＡによりコンテンツの再生開始の操作が行われた場合、操作情報を送信した際の回線遅延が考慮され再生開始予定時刻ｔ２が決定され、再生開始予定時刻ｔ２、時刻ｔ２におけるコンテンツの再生位置等を示す操作情報がユーザＸ側に送信され、ユーザＡ側では、時刻ｔ２からコンテンツの再生が開始され、ユーザＸ側でも、受信した操作情報が示す再生開始予定時刻ｔ２になったとき、受信した操作情報が示すコンテンツの再生位置からコンテンツの再生が開始されるので、時刻ｔ２以降はコンテンツの同期再生が行われている状態となっている。
【００１０】
特許文献４の技術では、視聴者Ａと視聴者Ｂがおのおの自らの端末で同一内容のコンテンツデータを時刻同期再生して視聴し、その内容に関してコミュニケーションを図るシステムにおいて、例えば、サッカー番組を視聴者Ａと視聴者Ｂがそれぞれの端末でコミュニケーションをとりながら視聴している場合、コミュニケーションデータとして送信されてくるゴールの瞬間の視聴者Ａの歓声とガッツポーズは、視聴者Ｂの端末では、放送コンテンツデータであるサッカー番組のゴールの瞬間より遅れて再生されるので、その遅延時間分だけ放送コンテンツデータの再生を遅らせている。
【先行技術文献】
【特許文献】
【００１１】
【特許文献１】特開２０１０−６２９６３号公報
【特許文献２】特開２００６−３３９８１９号公報
【特許文献３】特開２００６−４１８８５号公報
【特許文献４】特開２００６−１２９４２０号公報
【発明の概要】
【発明が解決しようとする課題】
【００１２】
ところで、近年では、放送映像をほぼリアルタイムに視聴する場合にも、地理的に離れた複数の家庭等で同一放送を視聴し、体験を共有することが考えられる。その場合も、各家庭等で放送映像を表示するタイミングにずれがあると様々な不都合が生ずる。例えば、放送映像がスポーツ等の映像であり、各家庭等での応援風景の映像も共有するような場合に、放送映像が他の家庭よりも早く届く家庭での応援風景により、放送映像が他の家庭よりも遅く届く家庭が結果を知ってしまうことが起こり得るという課題がある。従って、放送映像をほぼリアルタイムに視聴する場合にも、各家庭等で放送映像を同期させることは必要である。
【００１３】
しかしながら、特許文献１〜３の技術は、あくまで録画済みの放送映像を再生する際に再生映像を同期させるものであり、放送映像を共有してほぼリアルタイムに視聴する場合の放送映像の同期には適用できない。例えば、特許文献１の技術では、ゲスト側の再生位置が遅れていればゲスト側の再生速度をアップし、ゲスト側の再生位置が進んでいればゲスト側の再生速度をダウンしているが、放送映像をほぼリアルタイムに視聴する場合には放送映像の表示速度をアップすることはできない。また、特許文献２、３の技術は、録画済みの放送映像を再生する場合に特化した方法で同期を行うものであり、上記課題を解決する手段を提供するものではない。
【００１４】
一方、特許文献４の技術は、放送映像をほぼリアルタイムに視聴する場合の技術と言えるかもしれないが、各家庭等で放送映像の同期がとれていることを前提としているので、これも上記課題を解決する手段を提供するものではない。
【００１５】
本発明の目的は、複数の装置で放送映像を同期させて放送映像をほぼリアルタイムに視聴できるようにすることにある。
【課題を解決するための手段】
【００１６】
かかる目的のもと、本発明は、放送映像を記録しながら再生する第１の記録再生装置が再生している第１の再生映像の再生位置に関連付けられた第１の放送上の時刻を取得する取得手段と、放送映像を記録しながら再生する第２の記録再生装置が再生している第２の再生映像の再生位置に関連付けられた第２の放送上の時刻を受信する受信手段と、第１の記録再生装置が所定の実時刻に再生する第１の再生映像の再生位置と第２の記録再生装置が所定の実時刻に再生する第２の再生映像の再生位置とが近付くように第１の記録再生装置及び第２の記録再生装置の何れかを制御する制御コマンドを、第１の放送上の時刻と第２の放送上の時刻とに基づいて生成する生成手段と、第１の記録再生装置を制御する制御コマンドが生成された場合に、制御コマンドを第１の記録再生装置に出力する出力手段と、第２の記録再生装置を制御する制御コマンドが生成された場合に、制御コマンドを第２の記録再生装置に送信する送信手段とを備えた再生制御装置を提供する。
【００１７】
ここで、生成手段は、第１の記録再生装置が所定の実時刻に再生する第１の再生映像の再生位置よりも第２の記録再生装置が所定の実時刻に再生する第２の再生映像の再生位置が先行している場合に、第２の再生映像の再生を遅らせるように第２の記録再生装置を制御する制御コマンドを生成する、ものであってよい。その場合、生成手段は、第１の放送上の時刻と第２の放送上の時刻とに基づいて得られた時間だけ第２の再生映像の再生を停止させることにより、第２の再生映像の再生を遅らせる、ものであってよい。
【００１８】
また、この装置は、所定の放送上の時刻に関連付けられた第１の再生映像の再生位置に関して撮影された第１の撮影映像と、所定の放送上の時刻に関連付けられた第２の再生映像の再生位置に関して撮影された第２の撮影映像とが、第１の再生映像を表示する第１の表示装置に更に表示されるように制御する第１の制御手段と、第１の撮影映像と、第２の撮影映像とが、第２の再生映像を表示する第２の表示装置に更に表示されるように制御する第２の制御手段とを更に備えた、ものであってよい。その場合、第１の制御手段は、所定の放送上の時刻に関連付けられた第１の再生映像の再生位置が、第１の撮影映像と第２の撮影映像と共に第１の表示装置に表示されるように制御し、第２の制御手段は、所定の放送上の時刻に関連付けられた第２の再生映像の再生位置が、第１の撮影映像と第２の撮像映像と共に第２の表示装置に表示されるように制御する、ものであってよい。
【００１９】
また、本発明は、放送映像を記録しながら再生する記録再生手段と、記録再生手段が再生する再生映像を表示する表示手段と、表示手段が表示している第１の再生映像の再生位置に関連付けられた第１の放送上の時刻を取得する取得手段と、放送映像を記録しながら再生する他の装置が再生している第２の再生映像の再生位置に関連付けられた第２の放送上の時刻を受信する受信手段と、記録再生手段が所定の実時刻に再生する第１の再生映像の再生位置と他の装置が所定の実時刻に再生する第２の再生映像の再生位置とが近付くように記録再生手段及び他の装置の何れかを制御する制御コマンドを、第１の放送上の時刻と第２の放送上の時刻とに基づいて生成する生成手段と、記録再生手段を制御する制御コマンドが生成された場合に、制御コマンドを記録再生手段に出力する出力手段と、他の装置を制御する制御コマンドが生成された場合に、制御コマンドを他の装置に送信する送信手段とを備えた再生装置も提供する。
【００２０】
更に、本発明は、放送映像を記録しながら再生する第１の記録再生装置が再生している第１の再生映像の再生位置に関連付けられた第１の放送上の時刻を取得するステップと、放送映像を記録しながら再生する第２の記録再生装置が再生している第２の再生映像の再生位置に関連付けられた第２の放送上の時刻を受信するステップと、第１の記録再生装置が所定の実時刻に再生する第１の再生映像の再生位置と第２の記録再生装置が所定の実時刻に再生する第２の再生映像の再生位置とが近付くように第１の記録再生装置及び第２の記録再生装置の何れかを制御する制御コマンドを、第１の放送上の時刻と第２の放送上の時刻とに基づいて生成するステップと、第１の記録再生装置を制御する制御コマンドが生成された場合に、制御コマンドを第１の記録再生装置に出力するステップと、第２の記録再生装置を制御する制御コマンドが生成された場合に、制御コマンドを第２の記録再生装置に送信するステップとを含むことを特徴とする再生制御方法も提供する。
【００２１】
更にまた、本発明は、コンピュータに、放送映像を記録しながら再生する第１の記録再生装置が再生している第１の再生映像の再生位置に関連付けられた第１の放送上の時刻を取得する機能と、放送映像を記録しながら再生する第２の記録再生装置が再生している第２の再生映像の再生位置に関連付けられた第２の放送上の時刻を受信する機能と、第１の記録再生装置が所定の実時刻に再生する第１の再生映像の再生位置と第２の記録再生装置が所定の実時刻に再生する第２の再生映像の再生位置とが近付くように第１の記録再生装置及び第２の記録再生装置の何れかを制御する制御コマンドを、第１の放送上の時刻と第２の放送上の時刻とに基づいて生成する機能と、第１の記録再生装置を制御する制御コマンドが生成された場合に、制御コマンドを第１の記録再生装置に出力する機能と、第２の記録再生装置を制御する制御コマンドが生成された場合に、制御コマンドを第２の記録再生装置に送信する機能とを実現させるためのプログラムも提供する。
【発明の効果】
【００２２】
本発明によれば、複数の装置で放送映像を同期させて放送映像をほぼリアルタイムに視聴できるようになる。
【図面の簡単な説明】
【００２３】
【図１】本発明の実施の形態で表示される画面例を示した図である。
【図２】上記画面を表示するための概略動作を示した図である。
【図３】第１の実施の形態の概略動作について示した図である。
【図４】第１の実施の形態におけるシステムの全体構成例を示した図である。
【図５】第１の実施の形態におけるシステムの動作例を示した図である。
【図６】第２の実施の形態の概略動作について示した図である。
【図７】第２の実施の形態におけるシステムの全体構成例を示した図である。
【図８】第２の実施の形態におけるシステムの動作例を示した図である。
【発明を実施するための形態】
【００２４】
以下、添付図面を参照して、本発明の実施の形態について詳細に説明する。
【００２５】
［発明の背景］
スポーツの試合等でのパブリックビューイングや、スポーツバー等での視聴のように放送コンテンツを共有することが一般的になってきている。本実施の形態は、このような同一の放送コンテンツ（例えばスポーツ）を世帯間で共有し、応援等を楽しむことを可能にするシステムを提供するものである。
【００２６】
図１は、本実施の形態で表示される画面例を示した図である。これは、４世帯が１つの放送コンテンツを同時に楽しむための画面例であり、各家庭での応援動画と放送コンテンツとを合成したものとなっている。具体的には、放送コンテンツ４０が画面の中央に表示されている。放送コンテンツ４０は、チームＡ対チームＢの野球の試合のライブ放送のコンテンツであるものとする。この場合、チームＡを示す表示情報４１ａの下に、チームＡを応援する家庭での応援動画４２ａ，４３ａが表示され、チームＢを示す表示情報４１ｂの下に、チームＢを応援する家庭での応援動画４２ｂ，４３ｂが表示されている。
【００２７】
図２は、図１に示した画面を表示するための概略動作を示した図である。ここでは説明を簡素化するため、２世帯（Ａ宅及びＢ宅）での処理について示している。２世帯以上の場合でも、同様の処理を繰り返すことで、同じ効果を発生させることができる。尚、図では、Ａ宅から右方向へ延びる矢印線、及び、Ｂ宅から右方向へ延びる矢印線は時間の流れを表す。何れの矢印線に対しても、上側に応援動画を示し、下側に放送コンテンツの映像（放送映像）を示している。但し、図を簡略化するために、応援動画としては、Ａ宅での応援動画のみを示している。つまり、Ａ宅に対して示された応援動画は、送信される応援動画であり、Ｂ宅に対して示された応援動画は、受信した応援動画である。
【００２８】
基本的な動作は次の通りである。即ち、まず、各家庭での応援動画がサーバに送信される（Ａ）。次に、各家庭からの応援動画を合成した合成動画がサーバで生成される（Ｂ）。次いで、合成動画が各家庭に配信される（Ｃ）。最後に、各家庭のテレビで、放送コンテンツと合わせて、合成動画が表示される（Ｄ）。或いは、サーバを経由しない形態もある。
【００２９】
このようにして、各家庭は、放送コンテンツを見ながら、放送コンテンツに対する反応を、画面を通して共有することになる。ところが、放送コンテンツは放送局から送出されて各家庭に配信されるため、配信経路や各家庭でのデコード処理に要する時間等の違いにより、わずかながら表示タイミングにずれが発生する。例えば、図２では、両矢印５１で示した時間間隔だけ、放送コンテンツの表示タイミングがずれているものとしている。
【００３０】
スポーツ等では、このようなわずかな表示タイミングのずれが、視聴者に次の結果を知らせることになってしまう。例えば、Ａ宅から、バッターが打ったことを示す放送映像５２ａが表示された時に「打った！」という声が上がっている応援動画５３ａが送信され、打った結果がホームランであることを示す放送映像５４ａが表示された時に「ホームラン！」という声が上がっている応援動画５５ａが送信されたとする。すると、上述した放送コンテンツの表示タイミングのずれのために、Ｂ宅では、バッターが打ったことを示す放送映像５２ｂが表示された時に「ホームラン！」という声が上がっている応援動画５５ｂが表示されることがあり得る。そうなると、Ｂ宅では、ホームランであることが放送される前に、Ａ宅の応援動画によってホームランであることが分かるという事態が生じてしまう。
【００３１】
そこで、本実施の形態では、このような事態が生じないよう、放送コンテンツを共有する世帯間で放送コンテンツを同期させるようにする。
【００３２】
具体的には、各家庭では、放送コンテンツを録画し、再生可能な状態としておく。ここで、放送波には、ＴＯＴ（Time Offset Table）、ＰＣＲ（Program Clock Reference）、ＰＴＳ（Presentation Time Stamp）、ＤＴＳ（Decode Time Stamp）といった放送上の時刻情報が幾つか含まれる。ＴＯＴは現在の日付及び時刻の情報であり、ＰＣＲはオーディオ及びビデオの同期情報であり、ＰＴＳは表示のタイミング情報であり、ＤＴＡはデコードのタイミング情報である。各家庭からは、上記の何れか又幾つかの時刻情報を、録画時に保存して、応援動画の送信時にサーバ又は他の家庭に送信する。
【００３３】
このように家庭間で放送コンテンツを同期させる方法としては、サーバを使って同期させる方法と、サーバを使わずに同期させる方法とがある。以下では、前者を第１の実施の形態として、後者を第２の実施の形態として説明する。
【００３４】
［第１の実施の形態］
第１の実施の形態では、サーバが各家庭からの時刻情報のずれを判定し、この判定結果に基づいて、各家庭における再生位置や速度を調整することで、家庭間で放送コンテンツを同期させる。尚、以下では、各家庭での応援動画を同期させ、これらと放送コンテンツも同期させる例を示すが、これらの同期の少なくとも１つは行わなくてもよい。また、応援動画は表示しなくてもよい。
【００３５】
図３は、第１の実施の形態の概略動作について示した図である。ここでも説明を簡素化するため、２世帯（Ａ宅及びＢ宅）での処理について示している。２世帯以上の場合でも、同様の処理を繰り返すことで、同じ効果を発生させることができる。尚、図では、Ａ宅から右方向へ延びる矢印線、及び、Ｂ宅から右方向へ延びる矢印線は時間の流れを表す。何れの矢印線に対しても、上側に応援動画を示し、下側に放送コンテンツの映像（放送映像）を示している。但し、図を簡略化するために、応援動画としては、Ａ宅での応援動画のみを示している。つまり、Ａ宅に対して示された応援動画は、送信される応援動画であり、Ｂ宅に対して示された応援動画は、受信した応援動画である。
【００３６】
基本的な動作は次の通りである。即ち、まず、各家庭での応援動画及び時刻情報がサーバに送信される（Ｅ）。次に、各家庭からの時刻情報に基づいて放送コンテンツのずれが判定され、そのずれをなくすための放送コンテンツの同期がサーバによって行われる（Ｆ）。また、各家庭からの応援動画を時間を同期させて合成した合成動画がサーバで生成される（Ｇ）。次いで、合成動画及び時刻情報が各家庭に配信される（Ｈ）。最後に、各家庭のテレビで、他の家庭と同期された放送コンテンツと合わせて、他の家庭と同期された合成動画が表示される（Ｉ）。
【００３７】
ここでも、図３に示すように、両矢印５１で示す時間間隔だけ、放送コンテンツの表示タイミングがずれているものとする。ところが、この第１の実施の形態では、例えば、Ａ宅から、バッターが打ったことを示す放送映像５２ａが表示された時に「打った！」という声が上がっている応援動画５３ａとその時の時刻情報とがサーバに送信される。Ｂ宅からも、その時の応援動画と時刻情報とがサーバに送信され、サーバによって放送コンテンツの同期が行われる。例えば、矢印５６で示すように、Ａ宅で放送コンテンツがポーズするように制御される。これにより、Ｂ宅では、バッターが打ったことを表す放送映像５２ｂが表示された時に「打った！」という声が上がっている応援動画５３ｂが表示され、打った結果がホームランであることを示す放送映像５４ｂが表示された時に「ホームラン！」という声が上がっている応援動画５５ｂが表示されることになる。そうなると、Ｂ宅でホームランであることが放送される前にＡ宅の応援動画によってホームランであることが分かるという事態は避けられる。
【００３８】
図４は、第１の実施の形態におけるシステムの全体構成例を示した図である。図示するように、このシステムは、Ａ宅のテレビシステム１０と、サーバ２０とを含む。サーバ２０は、再生制御装置の一例である。また、Ａ宅以外の家庭のテレビシステムを含んでもよく、図４では、Ｂ宅のテレビシステムをその代表として示している。
【００３９】
このうち、テレビシステム１０は、第１の実施の形態のサービスを受けるためにＡ宅に設けられたシステムであり、放送受信機１１と、撮影装置１２と、送受信装置１３と、再生位置調整部１４と、録画再生装置１８とを備える。
【００４０】
放送受信機１１は、例えば、テレビであり、放送局から送信された映像及び音声を含む放送コンテンツを受信し、映像を画面に表示すると共に音声を出力する機器である。但し、第１の実施の形態のサービスを受ける場合は、放送コンテンツを録画のために録画再生装置１８に出力した後、録画再生装置１８で再生された映像及び音声を含む再生コンテンツを受け取り、再生コンテンツの映像を画面に表示すると共に再生コンテンツの音声を出力する。その際、放送受信機１１は、再生コンテンツに含まれる時刻情報を記録する。尚、放送コンテンツに含まれていた時刻情報は録画しながら再生されてもそのままの状態で含まれているので、この再生コンテンツに含まれる時刻情報は、録画前の放送コンテンツに含まれていた時刻情報と同じである。また、放送受信機１１は、各家庭で視聴者が再生コンテンツを視聴しながら応援している風景を撮影して得られた応援動画を幾つかの家庭について合成した合成動画も表示する。本実施の形態では、再生映像を表示する表示装置の一例として、放送受信機１１を設けている。
【００４１】
撮影装置１２は、例えば、カメラであり、放送受信機１１の画面に表示される再生コンテンツの映像及び放送受信機１１から出力される再生コンテンツの音声を視聴者が視聴しながら応援している応援風景を撮影する装置である。また、撮影装置１２は、応援風景を撮影することにより得られた応援動画を送受信装置１３に出力する。その際、放送受信機１１に記録された時刻情報、つまり、応援動画が得られた際に放送受信機１１の画面に表示されていた再生コンテンツの映像に関連付けられた時刻情報を取り出し、この時刻情報も応援動画に関連付けて送受信装置１３に出力する。
【００４２】
送受信装置１３は、例えば、ルータであり、サーバ２０との間で情報の送受信を行う装置である。具体的には、撮影装置１２から受け取った応援動画及びこの応援動画に関連付けられた時刻情報をサーバ２０に送信する。また、同期調整命令と合成動画とをサーバ２０から受信する。
【００４３】
再生位置調整部１４は、送受信装置１３がサーバ２０から受信した同期調整命令を受け取り、録画再生装置１８が録画した放送コンテンツを再生する際の再生位置を調整する。例えば、同期調整命令がＸ秒ポーズさせる命令であるとすると、録画再生装置１８が再生している放送コンテンツを現在再生中の位置で一時停止させてＸ秒間待つという再生位置の調整を行う。
【００４４】
録画再生装置１８は、例えば、ビデオレコーダであり、放送受信機１１から受け取った放送コンテンツを録画しながら再生する。その際、再生位置調整部１４により調整された再生位置を再生する。そして、再生した放送コンテンツを再生コンテンツとして放送受信機１１に出力する。本実施の形態では、放送映像を記録しながら再生する記録再生装置の一例として、録画再生装置１８を設けている。
【００４５】
また、サーバ２０は、第１の実施の形態のサービスを提供するコンピュータであり、送受信装置２３と、動画蓄積部２５と、同期調整部２６と、動画合成部２７とを備える。
【００４６】
送受信装置２３は、例えば、ルータであり、各家庭のテレビシステムとの間で情報の送受信を行う装置である。具体的には、同期調整部２６から受け取った同期調整命令と、動画合成部２７から受け取った合成動画とを各家庭のテレビシステムに送信する。また、各家庭のテレビシステムから応援動画及びこの応援動画に関連付けられた時刻情報を受信し、これらを動画蓄積部２５に出力する。本実施の形態では、制御コマンドの一例として、同期調整命令を用いており、制御コマンドを出力する出力手段及び制御コマンドを送信する送信手段の一例として、送受信装置２３を設けている。また、撮影映像の一例として、応援動画を用いており、撮影映像が表示装置に表示されるように制御する制御手段の一例として、送受信装置２３を設けている。更に、第１の放送上の時刻を取得する取得手段及び第２の放送上の時刻を受信する受信手段の一例として、送受信装置２３を設けている。
【００４７】
動画蓄積部２５は、送受信装置２３が各家庭のテレビシステムから同時に受信した応援動画及び時刻情報を互いに関連付けて一時的に蓄積する。
【００４８】
同期調整部２６は、動画蓄積部２５に蓄積された各家庭のテレビシステムから同時に受信した時刻情報のずれ、つまり、各家庭のテレビシステムにおける放送コンテンツの表示タイミングのずれを算出する。そして、そのずれを小さくするための、望ましくはなくすための同期調整命令を生成し、これを送受信装置２３に出力する。ここで、同期調整命令は、再生が進んでいる方の放送コンテンツの再生を遅らせる命令であるのが望ましい。例えば、Ｘ秒ポーズさせる命令を生成し、これを送受信装置２３に出力する。本実施の形態では、制御コマンドを生成する生成手段の一例として、同期調整部２６を設けている。
【００４９】
動画合成部２７は、動画蓄積部２５に蓄積された各家庭のテレビシステムから受信した応援動画のうち、同じ時刻情報に関連付けられた応援動画を組み合わせる。そして、この組み合わせた応援動画を合成することにより、合成動画を生成し、これを送受信装置２３に出力する。
【００５０】
次に、第１の実施の形態におけるＡ宅、Ｂ宅、Ｃ宅のテレビシステム及びサーバ２０の動作を説明する。図５は、Ａ宅、Ｂ宅、Ｃ宅のテレビシステム及びサーバ２０の動作例を示したフローチャートである。但し、Ｂ宅、Ｃ宅のテレビシステムの動作は、Ａ宅のテレビシステム１０の動作と同じであるので、Ａ宅のテレビシステム１０で代表させて説明する。
【００５１】
Ａ宅のテレビシステム１０では、サービスが開始すると、録画再生装置１８が、放送受信機１１で受信した視聴中の放送コンテンツを録画しながら再生し、再生コンテンツとして放送受信機１１の画面に表示する（ステップ１０１）。尚、このとき、放送受信機１１には、再生コンテンツに含まれる時刻情報、つまり、放送コンテンツに含まれていた時刻情報が記録される。
【００５２】
この状態で、撮影装置１２は、放送受信機１１の画面に表示された再生コンテンツの映像及び放送受信機１１から出力された再生コンテンツの音声を視聴者が視聴しながら応援している応援風景を撮影する（ステップ１０２）。また、撮影装置１２は、放送受信機１１に記録された時刻情報を取り出し、応援風景を撮影することにより得られた応援動画及びこの時刻情報を送受信装置１３に送り、送受信装置１３が応援動画及び時刻情報をサーバ２０に送信する（ステップ１０３）。
【００５３】
すると、サーバ２０では、送受信装置２３が、Ａ宅のテレビシステム１０から送信された応援動画及び時刻情報を受信すると共に、Ｂ宅及びＣ宅のテレビシステムからも同様に送信された応援動画及び時刻情報を受信する（ステップ２０１）。そして、各家庭からの応援動画及び時刻情報は、動画蓄積部２５に一時的に保存される。
【００５４】
次に、同期調整部２６は、動画蓄積部２５に保存された各家庭での応援動画に対応する時刻情報のずれを算出することにより、各家庭での放送コンテンツの表示タイミングのずれを判定する（ステップ２０２）。そして、放送コンテンツの同期処理が必要かどうか、つまり、放送コンテンツの表示タイミングのずれが同期処理が必要なほど大きいかどうかを判定する（ステップ２０３）。この判定は、例えば、放送コンテンツの表示タイミングのずれが所定の閾値（極めて小さな値とする）を超えているかどうかを調べることによって行えばよい。その結果、放送コンテンツの同期処理が必要と判定すれば、同期調整部２６は、同期調整命令（Ｘ秒ポーズさせる命令等）を生成する（ステップ２０４）。そして、同期調整部２６が同期調整命令を送受信装置３３に出力し、送受信装置２３がこの同期調整命令をＡ宅、Ｂ宅、Ｃ宅のテレビシステムのうち放送コンテンツの表示タイミングを変更すべきテレビシステムに送信する（ステップ２０５）。
【００５５】
その後、動画合成部２７は、動画蓄積部２５に保存された各家庭からの応援動画のうち、対応する時刻情報が同じものどうしを合成することにより、合成動画を生成する（ステップ２０６）。これにより、送受信装置２３は、合成動画及び対応する時刻情報を各家庭のテレビシステムに送信する（ステップ２０７）。
【００５６】
一方、Ａ宅のテレビシステム１０では、送受信装置１３が、ステップ２０４で送信された同期調整命令を受信したかどうかを判定する（ステップ１０４）。その結果、同期調整命令を受信したと判定すれば、再生位置調整部１４が放送コンテンツの再生位置を調整し、録画再生装置１８が放送コンテンツの調整された再生位置を再生して放送受信機１１に再生コンテンツとして表示することにより、同期処理を実行する（ステップ１０５）。例えば、再生位置調整部１４は、再生位置の調整として、録画再生装置１８が再生コンテンツを再生する際の速度の調整等を行うことにより、同期処理を自然に行うことができる。或いは、録画再生装置１８に速度調整機能が備わっていない場合は、再生位置の調整として、一般的なポーズ、早送り、巻き戻し、再生位置指定等を行ってもよい。
【００５７】
その後、送受信装置１３は、ステップ２０７で送信された合成動画及び対応する時刻情報を受信する（ステップ１０６）。これにより、放送受信機１１は、この時刻情報と再生コンテンツの時刻情報とを同期させ、再生コンテンツに合わせて合成動画を表示する（ステップ１０７）
【００５８】
ところで、本実施の形態では、放送コンテンツを同期させるために、放送コンテンツを録画しながら再生するようにしている。その際、放送コンテンツを録画する時間は、各家庭間で発生する放送コンテンツの表示タイミングのずれの最大値で十分である。また、録画した放送コンテンツのうち、全ての家庭が視聴した放送コンテンツは、部分的に削除するとよい。このように放送コンテンツの録画時間を短くすることにより、リソースの有効活用ができる。
【００５９】
尚、これまでの説明では、各家庭のテレビシステムとサーバ２０との間の通信による遅延を考慮しなかったが、同期処理を実行する前にサーバ２０が各家庭のテレビシステムから遅延に関する情報を取得しておいてもよい。このように遅延に関する情報を取得しておくことで、放送コンテンツを同期させる際の精度を高めることができる。例えば、サーバ２０が、ある放送時刻になったらサーバ２０に放送時刻を示す時刻情報を送信させる命令を、各家庭のテレビシステムに送信すれば、サーバ２０での受信時刻と各家庭のテレビシステムから送信された時刻情報とに基づいて、各家庭での通信による遅延の状況を知ることができる。また、サーバ２０が、即時にサーバ２０に時刻情報を返信させる命令を、各家庭のテレビシステムに一斉に送信すれば、サーバ２０での受信時刻と各家庭のテレビシステムから送信された時刻情報とに基づいて、各家庭での通信による遅延の状況を知ることができる。そして、これらの処理を繰り返すことで、より精度の高い同期処理を実行することができる。
【００６０】
また、サーバ２０で動画合成部２７が応援動画を合成する際には、次のような処理を行ってもよい。例えば、第一に、各家庭のテレビシステムに設定された情報に従って、自宅の風景の公開を制限する処理である。第二に、同時に視聴する家庭として選択された家庭での応援動画を固定的に合成したりランダムに合成したりする処理である。第三に、動きの激しい家庭や音量の大きい家庭での応援動画が大きくなるように合成する処理である。応援動画を合成する際にそのような加工を行うことで、臨場感が増し、参加意欲が増大すると思われる。
【００６１】
本実施の形態では、リアルタイムで視聴している放送コンテンツの放送によるタイムラグをなくし、家庭間で同期させるようにした。これにより、リアルタイムに放送コンテンツを共有し、体験を共有することが可能となった。その際、サーバ２０で応援動画を合成し、録画再生装置１８では録画コンテンツの再生位置を調整するだけなので、放送受信機１１での負荷が小さい。また、多数の家庭間で放送コンテンツを同期させることも容易である。
【００６２】
［第２の実施の形態］
第２の実施の形態では、他の世帯から応援動画を直接受信して出力することが可能なテレビにより、サーバを使わずに放送コンテンツを同期させる。但し、この場合、サービスは２宅間でのみ成立し、何れかの家庭におけるテレビが同期調整の判断及び同期調整命令の生成並びに送信を行うものとする。また、この第２の実施の形態では、自宅の応援動画と他宅の応援動画とを表示するため、動画の合成が不要となる。尚、以下では、各家庭での応援動画を同期させ、これらと放送コンテンツも同期させる例を示すが、これらの同期の少なくとも１つは行わなくてもよい。また、応援動画は表示しなくてもよい。
【００６３】
図６は、第２の実施の形態の概略動作について示した図である。上述したように第２の実施の形態は２宅間でのみ成立するので、２世帯（Ａ宅及びＣ宅）での処理について示している。尚、図では、Ａ宅から右方向へ延びる矢印線、及び、Ｃ宅から右方向へ延びる矢印線は時間の流れを表す。何れの矢印線に対しても、下側に放送コンテンツの映像（放送映像）を示しており、図を簡略化するために、応援動画は省略している。
【００６４】
基本的な動作は次の通りである。即ち、まず、受信中の時刻情報がＡ宅からＣ宅へ送信される（Ｊ）。次に、Ｃ宅では、Ａ宅から送信された時刻情報と、自身が受信中の時刻情報とが比較され、Ａ宅での放送コンテンツの表示タイミング及び自身での放送コンテンツの表示タイミングの何れがどの程度進んでいるかが計算される（Ｋ）。図６に示したケースでは、Ａ宅での放送コンテンツの表示が進んでいるので、再生コンテンツへの切り替え指示、ポーズ時間を指定したポーズ指示等を含む同期調整命令が、Ｃ宅からＡ宅へ送信されることにより、放送コンテンツの同期が行われる（Ｌ）。或いは、Ｃ宅からＡ宅へ受信中の時刻情報が送信され、Ａ宅で再生やポーズが行われることにより、放送コンテンツの同期が行われてもよい。一方、図６に示したケースとは異なるが、Ｃ宅での放送コンテンツの表示が進んでいる場合、Ｃ宅で再生コンテンツへの切り替え、ポーズ等が行われることにより、放送コンテンツの同期が行われる。そして、このような動作が繰り返し行われることにより、Ａ宅とＣ宅との間の放送コンテンツの表示タイミングのずれが高精度で短くなることが期待できる。
【００６５】
ここでも、図６に示すように、両矢印５１で示す時間間隔だけ、放送コンテンツの表示タイミングがずれているものとする。ところが、この第２の実施の形態では、例えば、Ａ宅から、バッターが打つ前の任意の放送映像５７ａが表示された時の時刻情報がＣ宅に送信され、Ｃ宅からＡ宅への同期調整命令によって放送コンテンツの同期が行われる。例えば、矢印５６で示すように、Ａ宅で放送コンテンツがポーズするように制御される。これにより、Ａ宅でのバッターが打ったことを表す放送映像５２ａの表示タイミングと、Ｃ宅でのバッターが打ったことを表す放送映像５２ｃの表示タイミングとが一致することになる。
【００６６】
図７は、第２の実施の形態におけるシステムの全体構成例を示した図である。図示するように、このシステムは、Ａ宅のテレビシステム１０と、Ｃ宅のテレビシステム３０とを含む。Ａ宅のテレビシステム１０は、他の装置の一例であり、Ｃ宅のテレビシステム３０は、再生装置の一例である。
【００６７】
このうち、テレビシステム１０は、第２の実施の形態のサービスを受けるためにＡ宅に設けられたシステムであり、放送受信機１１と、撮影装置１２と、送受信装置１３と、再生位置調整部１４と、録画再生装置１８とを備える。このＡ宅のテレビシステム１０の構成については、第１の実施の形態で説明したので、ここでの説明は省略する。尚、第２の実施の形態のテレビシステム１０において、放送受信機１１は、第２の再生映像を表示する第２の表示装置の一例であり、録画再生装置１８は、放送映像を記録しながら再生する第２の記録再生装置の一例である。
【００６８】
また、テレビシステム３０は、第２の実施の形態のサービスを受けるためにＣ宅に設けられたシステムであり、放送受信機３１と、撮影装置３２と、送受信装置３３と、再生位置調整部３４と、動画蓄積部３５と、同期調整部３６と、録画再生装置３８とを備える。
【００６９】
放送受信機３１は、例えば、テレビであり、放送局から送信された映像及び音声を含む放送コンテンツを受信し、映像を画面に表示すると共に音声を出力する機器である。但し、第２の実施の形態のサービスを受ける場合は、放送コンテンツを録画のために録画再生装置３８に出力した後、録画再生装置３８で再生された映像及び音声を含む再生コンテンツを受け取り、再生コンテンツの映像を画面に表示すると共に再生コンテンツの音声を出力する。その際、放送受信機３１は、再生コンテンツに含まれる時刻情報を記録する。尚、放送コンテンツに含まれていた時刻情報は録画しながら再生されてもそのままの状態で含まれているので、この再生コンテンツに含まれる時刻情報は、録画前の放送コンテンツに含まれていた時刻情報と同じである。また、放送受信機３１は、Ａ宅で視聴者が再生コンテンツを視聴しながら応援している風景を撮影して得られた応援動画、及び、Ｃ宅で視聴者が再生コンテンツを視聴しながら応援している風景を撮影して得られた応援動画も表示する。本実施の形態では、第１の再生映像を表示する第１の表示装置及び再生映像を表示する表示手段の一例として、放送受信機３１を設けている。
【００７０】
撮影装置３２は、例えば、カメラであり、放送受信機３１の画面に表示される再生コンテンツの映像及び放送受信機３１から出力される再生コンテンツの音声を視聴者が視聴しながら応援している応援風景を撮影する装置である。また、撮影装置３２は、応援風景を撮影することにより得られた応援動画を動画蓄積部３５に出力する。その際、放送受信機３１に記録された時刻情報、つまり、応援動画が得られた際に放送受信機３１の画面に表示されていた再生コンテンツの映像に関連付けられた時刻情報を取り出し、この時刻情報も応援動画に関連付けて動画蓄積部３５に出力する。更に、撮影装置３２は、応援風景を撮影することにより得られた応援動画を放送受信機３１に出力する。本実施の形態では、撮影映像の一例として、応援動画を用いており、第１の撮影映像が第１の表示装置に表示されるように制御する第１の制御手段の一例として、撮影装置３２を設けている。また、第１の放送上の時刻を取得する取得手段の一例として、撮影装置３２を設けている。
【００７１】
送受信装置３３は、例えば、ルータであり、Ａ宅のテレビシステム１０との間で情報の送受信を行う装置である。具体的には、同期調整部３６から受け取った同期調整命令と、Ｃ宅での応援動画及びこの応援動画に関連付けられた時刻情報とをＡ宅のテレビシステム１０に送信する。また、Ａ宅のテレビシステム１０からＡ宅での応援動画及びこの応援動画に関連付けられた時刻情報を受信し、放送受信機３１に出力する。本実施の形態では、制御コマンドの一例として、同期調整命令を用いており、制御コマンドを送信する送信手段の一例として、送受信装置３３を設けている。また、第２の撮影映像が第２の表示装置に表示されるように制御する第２の制御手段の一例として、送受信装置３３を設けている。更に、第２の放送上の時刻を受信する受信手段の一例として、送受信装置３３を設けている。
【００７２】
再生位置調整部３４は、同期調整部３６が生成した同期調整命令による自機での同期調整が必要であると判定すれば、録画再生装置３８が録画した放送コンテンツを再生する際の再生位置を調整する。例えば、同期調整命令がＸ秒ポーズさせる命令であるとすると、録画再生装置３８が再生している放送コンテンツを現在再生中の位置で一時停止させてＸ秒間待つという再生位置の調整を行う。
【００７３】
動画蓄積部３５は、撮影装置３２から受け取った応援動画及び時刻情報と、送受信装置３３がＡ宅のテレビシステム１０から受信した応援動画及び時刻情報とを互いに関連付けて一時的に蓄積する。その際、例えば、Ａ宅のテレビシステム１０からＣ宅のテレビシステム３０への応援動画及び時刻情報の送信に要する送信時間を予め算出しておき、動画蓄積部３５にＡ宅での応援動画及び時刻情報が保存されてからこの送信時間が経過した後に動画蓄積部３５に保存されたＣ宅の応援動画及び時刻情報を互いに関連付けるようにするとよい。
【００７４】
同期調整部３６は、動画蓄積部３５に蓄積されたＡ宅のテレビシステム１０及びＣ宅のテレビシステム３０での時刻情報のずれ、つまり、Ａ宅のテレビシステム１０及びＣ宅のテレビシステム３０における放送コンテンツの表示タイミングのずれを算出する。そして、そのずれを小さくするための、望ましくはなくすための同期調整命令を生成し、Ａ宅での同期調整が必要な場合は、これを送受信装置３３に出力し、Ｃ宅での同期調整が必要な場合は、これを再生位置調整部３４に出力する。ここで、同期調整命令は、再生が進んでいる方の放送コンテンツの再生を遅らせる命令であるのが望ましい。例えば、Ｘ秒ポーズさせる命令を生成し、これを送受信装置３３に出力したり再生位置調整部３４に出力したりする。本実施の形態では、制御コマンドを生成する生成手段及び制御コマンドを出力する出力手段の一例として、同期調整部３６を設けている。
【００７５】
録画再生装置３８は、例えば、ビデオレコーダであり、放送受信機３１から受け取った放送コンテンツを録画しながら再生する。その際、再生位置調整部３４により調整された再生位置を再生する。そして、再生した放送コンテンツを再生コンテンツとして放送受信機３１に出力する。本実施の形態では、放送映像を記録しながら再生する第１の記録再生装置及び放送映像を記録しながら再生する記録再生手段の一例として、録画再生装置３８を設けている。
【００７６】
次に、第２の実施の形態におけるＡ宅のテレビシステム１０及びＣ宅のテレビシステム３０の動作を説明する。図８は、Ａ宅のテレビシステム１０及びＣ宅のテレビシステム３０の動作例を示したフローチャートである。尚、第２の実施の形態では、２宅のテレビシステムの何れが同期処理の判定機能を持つかをサービス開始時に決めておく。この動作例では、Ｃ宅のテレビシステム３０が同期処理の判定機能を持つものとする。
【００７７】
Ａ宅のテレビシステム１０では、サービスが開始すると、録画再生装置１８が、放送受信機１１で受信した視聴中の放送コンテンツを録画しながら再生し、再生コンテンツとして放送受信機１１の画面に表示する（ステップ１５１）。尚、このとき、放送受信機１１には、再生コンテンツに含まれる時刻情報、つまり、放送コンテンツに含まれていた時刻情報が記録される。
【００７８】
この状態で、撮影装置１２は、放送受信機１１の画面に表示された再生コンテンツの映像及び放送受信機１１から出力された再生コンテンツの音声を視聴者が視聴しながら応援している応援風景を撮影する（ステップ１５２）。また、撮影装置１２は、放送受信機１１に記録された時刻情報を取り出し、応援風景を撮影することにより得られた応援動画及びこの時刻情報を送受信装置１３に送り、送受信装置１３が応援動画及び時刻情報をＣ宅のテレビシステム３０に送信する（ステップ１５３）。
【００７９】
一方、Ｃ宅のテレビシステム３０では、サービスが開始すると、録画再生装置３８が、放送受信機３１で受信した視聴中の放送コンテンツを録画しながら再生し、再生コンテンツとして放送受信機３１の画面に表示する（ステップ３０１）。尚、このとき、放送受信機３１には、再生コンテンツに含まれる時刻情報、つまり、放送コンテンツに含まれていた時刻情報が記録される。
【００８０】
この状態で、撮影装置３２は、放送受信機３１の画面に表示された再生コンテンツの映像及び放送受信機３１から出力された再生コンテンツの音声を視聴者が視聴しながら応援している応援風景を撮影する（ステップ３０２）。また、送受信装置３３は、ステップ１５３でＡ宅のテレビシステム１０から送信された応援動画及び時刻情報を受信する（ステップ３０３）。そして、ステップ３０２で応援風景を撮影することにより得られたＣ宅での応援動画及び時刻情報と、ステップ３０３で受信したＡ宅での応援動画及び時刻情報は、動画蓄積部３５に一時的に保存される。
【００８１】
次に、同期調整部３６は、動画蓄積部３５に保存されたＡ宅及びＣ宅での応援動画に対応する時刻情報のずれを算出することにより、Ａ宅及びＣ宅での放送コンテンツの表示タイミングのずれを判定する（ステップ３０４）。尚、時刻情報のずれの中にはＡ宅からＣ宅へ応援動画及び時刻情報を送信する際の送信時間が含まれていることも考えられるので、時刻情報のずれの算出は、この送信時間は除いて行うのが望ましい。そして、放送コンテンツの同期処理が必要かどうか、つまり、放送コンテンツの表示タイミングのずれが同期処理が必要なほど大きいかどうかを判定する（ステップ３０５）。この判定は、例えば、放送コンテンツの表示タイミングのずれが所定の閾値（極めて小さな値とする）を超えているかどうかを調べることによって行えばよい。その結果、放送コンテンツの同期処理が必要と判定すれば、同期調整部３６は、同期調整命令（Ｘ秒ポーズさせる命令等）を生成し（ステップ３０６）、自機での同期処理が必要かどうかを判定する（ステップ３０７）。そして、自機での同期処理が必要と判定すれば、同期調整部３６が同期調整命令を再生位置調整部３４に出力し、再生位置調整部３４が放送コンテンツの再生位置を調整し、録画再生装置３８が放送コンテンツの調整された再生位置を再生して放送受信機３１に再生コンテンツとして表示することにより、同期処理を実行する（ステップ３０８）。また、Ａ宅での同期処理が必要と判定されれば、同期調整部３６が同期調整命令を送受信装置３３に出力し、送受信装置３３がこの同期調整命令をＡ宅のテレビシステム１０に送信する（ステップ３０９）。
【００８２】
その後、送受信装置３３は、ステップ３０２で応援風景を撮影することにより得られたＣ宅での応援動画及び時刻情報をＡ宅のテレビシステム１０に送信する（ステップ３１０）。また、放送受信機３１は、この時刻情報と再生コンテンツの時刻情報とを同期させ、再生コンテンツに合わせてＣ宅での応援動画を表示する（ステップ３１１）。
【００８３】
一方、Ａ宅のテレビシステム１０では、送受信装置１３が、ステップ３０９で送信された同期調整命令を受信したかどうかを判定する（ステップ１５４）。その結果、同期調整命令を受信したと判定すれば、再生位置調整部１４が放送コンテンツの再生位置を調整し、録画再生装置１８が放送コンテンツの調整された再生位置を再生して放送受信機１１に再生コンテンツとして表示することにより、同期処理を実行する（ステップ１５５）。例えば、再生位置調整部１４は、再生位置の調整として、録画再生装置１８が再生コンテンツを再生する際の速度の調整等を行うことにより、同期処理を自然に行うことができる。或いは、録画再生装置１８に速度調整機能が備わっていない場合は、再生位置の調整として、一般的なポーズ、早送り、巻き戻し、再生位置指定等を行ってもよい。
【００８４】
その後、送受信装置１３は、ステップ３１０で送信されたＣ宅での応援動画及び時刻情報を受信する（ステップ１５６）。これにより、放送受信機１１は、この時刻情報と再生コンテンツの時刻情報とを同期させ、再生コンテンツに合わせて応援動画を表示する（ステップ１５７）。
【００８５】
尚、ステップ１５６では、送受信装置１３が、ステップ１５２で応援風景を撮影することにより得られたＡ宅での応援動画及び時刻情報をＣ宅のテレビシステム３０に送信し、ステップ３１０では、送受信装置３３が、Ａ宅での応援動画及び時刻情報を受信し、ステップ３１１では、放送受信機３１が、この時刻情報と再生コンテンツの時刻情報とを同期させ、再生コンテンツに合わせてＡ宅での応援動画を表示する。また、ステップ１５７では、放送受信機１１が、この時刻情報と再生コンテンツの時刻情報とを同期させ、再生コンテンツに合わせてＡ宅での応援動画を表示する。
【００８６】
本実施の形態では、リアルタイムで視聴している放送コンテンツの放送によるタイムラグをなくし、家庭間で同期させるようにした。これにより、リアルタイムに放送コンテンツを共有し、体験を共有することが可能となった。
【符号の説明】
【００８７】
１０，３０…テレビシステム、１１，３１…放送受信機、１２，３２…撮影装置、１３，２３，３３…送受信装置、１４，３４…再生位置調整部、１８，３８…録画再生装置、２０…サーバ、２５，３５…動画蓄積部、２６，３６…同期調整部、２７…動画合成部
【図１】
2015109505.tif 000003
【図２】
2015109505.tif 000004
【図３】
2015109505.tif 000005
【図４】
2015109505.tif 000006
【図５】
2015109505.tif 000007
【図６】
2015109505.tif 000008
【図７】
2015109505.tif 000009
【図８】
2015109505.tif 000010